【手続補正書】
【提出日】平成15年6月19日(2003.6.19)
【手続補正１】
【補正対象書類名】明細書
【補正対象項目名】特許請求の範囲
【補正方法】変更
【補正の内容】
【特許請求の範囲】
【請求項１】
同じ音素記号で表される音素毎に複数の異なるピッチを持つ音声の特徴量を記憶する記憶手段と、
前記音声の特徴量をピッチをインデックスとして読み出す読出し手段と、
前記読み出された音声の特徴量に基き音声を合成する音声合成手段と
を有する音声合成装置。
【請求項２】
同じ音素記号で表される音素毎に複数の異なる音楽表現度を持つ音声の特徴量を記憶する記憶手段と、
前記音声の特徴量を音楽表現度をインデックスとして読み出す読出し手段と、
前記読み出された音声の特徴量に基き音声を合成する音声合成手段と
を有する音声合成装置。
【請求項３】
同じ音素記号で表される音素毎に複数の異なる音声の特徴量を記憶する記憶手段と、
音声合成の為の音声情報を入力する入力手段と、
前記音声情報に合致する音声の特徴量が前記記憶手段に記憶されていない場合に、前記記憶手段に記憶されている音声の特徴量を元に前記音声情報に合致する音声の特徴量を補間又は外挿して算出する補間手段と、
前記補間又は外挿して算出された音声の特徴量に基づき音声を合成する音声合成手段と
を有する音声合成装置。
【請求項４】
音声の特徴量の時間変化分をテンプレートデータとして記憶する記憶手段と、
音声合成の為の音声情報を入力する入力手段と、
前記音声情報に基づき前記テンプレートデータを前記記憶手段から読み出す読出し手段と、
前記読み出されたテンプレートデータと、前記音声情報に基づき音声を合成する音声合成手段と
を有する音声合成装置。
【請求項５】
同じ音素記号で表される音素毎に複数の異なるピッチを持つ音声の特徴量を記憶する記憶手段から、ピッチをインデックスとして音声の特徴量を読み出す読出し工程と
前記読み出された音声の特徴量に基き音声を合成する音声合成工程と
を有する音声合成方法。
【請求項６】
同じ音素記号で表される音素毎に複数の異なる音楽表現度を持つ音声の特徴量を記憶する記憶手段から、音楽表現度をインデックスとして音声の特徴量を読み出す読出し工程と
前記読み出された音声の特徴量に基き音声を合成する音声合成工程と
を有する音声合成方法。
【請求項７】
同じ音素記号で表される音素毎に複数の異なる音声の特徴量を記憶する記憶手段から音声の特徴量を読み出す読出し工程と、
音声合成の為の音声情報を入力する入力工程と、
前記音声情報に合致する音声の特徴量が前記記憶手段に記憶されていない場合に、前記記憶手段に記憶されている音声の特徴量を元に前記音声情報に合致する音声の特徴量を補間又は外挿して算出する補間工程と、
前記補間又は外挿して算出された音声の特徴量に基づき音声を合成する音声合成工程と
を有する音声合成方法。
【請求項８】
音声の特徴量の時間変化分をテンプレートデータとして記憶する記憶工程と、
音声合成の為の音声情報を入力する入力工程と、
前記音声情報に基づき音声の特徴量の時間変化分を表すテンプレートデータを前記記憶手段から読み出す読出し工程と、
前記読み出されたテンプレートデータと、前記音声情報に基づき音声を合成する音声合成工程と
を有する音声合成方法。
【請求項９】
同じ音素記号で表される音素毎に複数の異なるピッチを持つ音声の特徴量を記憶する記憶手段から、ピッチをインデックスとして音声の特徴量を読み出す読出し手順と
前記読み出された音声の特徴量に基き音声を合成する音声合成手順と
を有する音声合成手順をコンピュータに実行させるためのプログラム。
【請求項１０】
同じ音素記号で表される音素毎に複数の異なる音楽表現度を持つ音声の特徴量を記憶する記憶手段から、音楽表現度をインデックスとして音声の特徴量を読み出す読出し手順と
前記読み出された音声の特徴量に基き音声を合成する音声合成手順と
を有する音声合成手順をコンピュータに実行させるためのプログラム。
【請求項１１】
同じ音素記号で表される音素毎に複数の異なる音声の特徴量を記憶する記憶手段から音声の特徴量を読み出す読出し手順と、
音声合成の為の音声情報を入力する入力手順と、
前記音声情報に合致する音声の特徴量が前記記憶手段に記憶されていない場合に、前記記憶手順に記憶されている音声の特徴量を元に前記音声情報に合致する音声の特徴量を補間又は外挿して算出する補間手順と、
前記補間又は外挿して算出された音声の特徴量に基づき音声を合成する音声合成手順と
を有する音声合成手順をコンピュータに実行させるためのプログラム。
【請求項１２】
音声の特徴量の時間変化分をテンプレートデータとして記憶する記憶手順と、
音声合成の為の音声情報を入力する入力手順と、
前記音声情報に基づき音声の特徴量の時間変化分を表すテンプレートデータを記憶手段から読み出す読出し手順と、
前記読み出されたテンプレートデータと、前記音声情報に基づき音声を合成する音声合成手順と
を有する音声合成手順をコンピュータに実行させるためのプログラム。
【請求項１３】
同じ音素記号で表される音素毎に複数の異なるピッチを持つ音声の特徴量と、
音声の特徴量の時間変化分を表すテンプレートデータであって、前記音声の特徴量に対して適用されるテンプレートデータと
を有する音声合成用データベースを記憶した媒体。
【手続補正２】
【補正対象書類名】明細書
【補正対象項目名】００１０
【補正方法】変更
【補正の内容】
【００１０】
【課題を解決するための手段】本発明の一観点によれば、音声合成装置は、同じ音素記号で表される音素毎に複数の異なるピッチを持つ音声の特徴量を記憶する記憶手段と、前記音声の特徴量をピッチをインデックスとして読み出す読出し手段と、前記読み出された音声の特徴量に基き音声を合成する音声合成手段とを有する。


【手続補正３】
【補正対象書類名】明細書
【補正対象項目名】００１１
【補正方法】変更
【補正の内容】
【００１１】
また、本発明の他の観点によれば、音声合成装置は、同じ音素記号で表される音素毎に複数の異なる音楽表現度を持つ音声の特徴量を記憶する記憶手段と、前記音声の特徴量を音楽表現度をインデックスとして読み出す読出し手段と、前記読み出された音声の特徴量に基き音声を合成する音声合成手段とを有する。


【手続補正４】
【補正対象書類名】明細書
【補正対象項目名】００１２
【補正方法】変更
【補正の内容】
【００１２】
また、本発明の他の観点によれば、音声合成装置は、同じ音素記号で表される音素毎に複数の異なる音声の特徴量を記憶する記憶手段と、音声合成の為の音声情報を入力する入力手段と、前記音声情報に合致する音声の特徴量が前記記憶手段に記憶されていない場合に、前記記憶手段に記憶されている音声の特徴量を元に前記音声情報に合致する音声の特徴量を補間又は外挿して算出する補間手段と、前記補間又は外挿して算出された音声の特徴量に基づき音声を合成する音声合成手段とを有する。


【手続補正５】
【補正対象書類名】明細書
【補正対象項目名】００１３
【補正方法】変更
【補正の内容】
【００１３】
また、本発明の他の観点によれば、音声合成装置は、音声の特徴量の時間変化分をテンプレートデータとして記憶する記憶手段と、音声合成の為の音声情報を入力する入力手段と、前記音声情報に基づき前記テンプレートデータを前記記憶手段から読み出す読出し手段と、前記読み出されたテンプレートデータと、前記音声情報に基づき音声を合成する音声合成手段とを有する。


【手続補正６】
【補正対象書類名】明細書
【補正対象項目名】００３２
【補正方法】変更
【補正の内容】
【００３２】
Ｔｉｍｂｒｅとは音韻の音色であり、ある時刻１点における特徴パラメータ（励起スペクトル、励起レゾナンス、フォルマント、差分スペクトルのセット）で表現される。図３にＴｉｍｂｒｅデータベースＴＤＢの例を示す。このデータベースは、インデックスとして音韻名、ピッチを持つ。


【手続補正７】
【補正対象書類名】明細書
【補正対象項目名】００６５
【補正方法】変更
【補正の内容】
【００６５】
人間の実際に発声した音声、例えば「あ」、の立ち上がり部分を解析して得たＮＡテンプレートを、定常部分の特徴パラメータに適用することで、その立ち上がり部分の人の音声の持つ自然な変化を与えることができる。


【手続補正８】
【補正対象書類名】明細書
【補正対象項目名】０１４２
【補正方法】変更
【補正の内容】
【０１４２】
まず、励起レゾナンス周波数ＥｐＲＦｒｅｑ及び第１から第４フォルマント周波数ＦｏｒｍａｎｔＦｒｅｑ（１≦ｉ≦４）を、それぞれ下記式（Ｊ１）及び（Ｊ２）を用いて、ＥｐＲＦｒｅｑ’、ＦｏｒｍａｎｔＦｒｅｑｉ’に置き換える。
【数式１４】
2002268659.tif 000001
【数式１５】
2002268659.tif 000002
さらに、ピッチが低くなるほどバンド幅が狭くなるように、励起レゾナンスバンド幅ＥＲＢＷ及び第１から第３フォルマントのバンド幅ＦｏｒｍａｎｔＢＷｉ（１≦ｉ≦３）をそれぞれ下記式（Ｊ３）、（Ｊ４）のＥＲＢＷ’、ＦｏｒｍａｎｔＢＷｉ’に置き換える。